(57)【要約】【課題】  ダクトが逆勾配になっているような場合でも、結露水が浴室等に落下することがないダクト用換気扇を提供する。【解決手段】  ファンケーシング１７の吸込口２２が形成された底板２０に、当該底板２０に溜まった結露水Ｗを排水する排水孔３５を形成すると共に、この排水孔３５に連結されて結露水Ｗをフロントカバー７の吸気孔６形成部外に案内する排水管３６を備え、フロントカバー７の吸気孔６周縁には立設壁６ａを形成した。【選択図】        図１
2007017062.tif 000002
【特許請求の範囲】
【請求項１】
ファンを囲繞して、ダクトに連通する排気口と、吸気孔を有するフロントカバーで下方が覆われた吸込口を有して、この吸込口から吸い込んだ空気を前記排気口に案内するファンケーシングを備え、
前記ファンケーシングの吸込口が形成された底板に、当該底板に溜まった結露水を排水する排水孔を形成すると共に、この排水孔に連結されて結露水を前記フロントカバーの吸気孔形成部外に案内する排水管を備え、前記フロントカバーの吸気孔周縁には立設壁を形成したことを特徴とするダクト用換気扇。
【請求項２】
前記排水孔は、その孔上面が前記底板の底面よりは高い位置で前記吸込口周縁の高さよりは低い位置に形成されて成ることを特徴とする請求項１記載のダクト用換気扇。
【請求項３】
ファンを囲繞して、ダクトに連通する排気口と、吸気孔を有するフロントカバーで下方が覆われた吸込口を有して、この吸込口から吸い込んだ空気を前記排気口に案内するファンケーシングを備え、
前記フロントカバーの吸気孔を表面張力で水を通さない大きさに形成したことを特徴とするダクト用換気扇。
【請求項４】
前記フロントカバーは、吸気孔形成部が吸気孔が形成されていない部分に向かって下り勾配に傾斜させて成ることを特徴とする請求項３記載のダクト用換気扇。
【請求項５】
ファンを囲繞して、ダクトに連通する排気口と、吸気孔を有するフロントカバーで下方が覆われた吸込口を有して、この吸込口から吸い込んだ空気を前記排気口に案内するファンケーシングを備え、このファンケーシングは、下方を開口する側壁と、前記吸込口が形成されて前記側壁の開口縁に装着される底板とを有し、
前記底板の外周に立ち上がり傾斜面を形成すると共に、前記側壁の開口縁に前記底板の立ち上がり傾斜面に沿うように弾性変形して密着する薄肉部を形成したことを特徴とするダクト用換気扇。
【発明の詳細な説明】
【技術分野】
【０００１】
本願発明は、主に浴室の天井面に取り付けられ、ダクトによって屋外と連通して浴室内の空気を換気するダクト用換気扇に係わり、特に換気扇内の結露水の浴室内への滴下を防止するようにしたダクト用換気扇に関するものである。
【背景技術】
【０００２】
この種の従来技術として、例えば特許文献１に開示されたものは、ファンケーシングの底部における排気口側の底面の高さが、吸気口の周囲縁部の高さより低く形成され、ダクト接続部における本体側接続口の底面も同様に吸気口の周囲縁部の高さより低く形成され且つ、底面全体としては本体側接続口からダクト側接続口に向かって下り勾配に形成されている。上記換気扇内で発生した結露水は、ケーシングの底部に滴下して溜まる。この底部における排気口側の底面の高さは、吸気口の周囲縁部の高さより低く形成されているため、底部に溜まった結露水は吸気口から溢れ出ることなく排気口側へ流れてダクト接続部に至る。ダクト接続部における本体側接続口の底面も同様に吸気口の周囲縁部の高さより低く形成されているため、底部に溜まった結露水は吸気口から溢れ出る前にダクト接続部の本体側接続口を通過する。本体側接続口を通過した結露水は、ダクト側へ下り勾配に形成された底面上を流れてダクトに至り、屋外へ排出されることになる。
【０００３】
また、特許文献２には、ファンケーシング内に本体の吐出口の下辺の高さより高い位置に底面を有し、ケーシングの側壁部内面に沿って設けられる結露水を受ける凹部を備え、凹部の吐出口側端部に結露水を流出する開口部を設け、結露水をダクトを介して屋外に排出する構成のものが開示されている。
【０００４】
また、特許文献３には、ファンケーシングの吸気口板に水抜孔を形成し、この水抜孔にドレン排水管を接続すると共に、このドレン排水管を浴室の天井下面から側壁に沿わせて配設したものが開示されている。
【０００５】
また、特許文献４には、換気扇が取り付けられる天井壁の開口部を覆うグリルプレート（フロントカバー）の側面が開口したものが開示されている。
【０００６】
さらに、特許文献５には、側面に排気口が形成され、内部にファンを有する本体ケースと、このファンを囲繞し、本体ケース内に吸い込んだ空気を排気口に案内するファンケーシングとを備え、ファンケーシングは、下方を開口する側壁と、吸込口を有し前記側壁の開口縁に装着される底板を備え、底板と側壁との接合部を、ファンの下端より下方に位置させたものが開示されている。これにより、ファンケーシング内で結露した結露水が接合部を通過する際にファンから大きな風圧を受けることがなく、結露水が接合部に入り込んでファンケーシング外に漏洩する恐れを低減できるようにしている。
【特許文献１】特開平６−２０７７３３号公報
【特許文献２】特開平８−９４１４３号公報
【特許文献３】特開平９ー１３７９８５号公報
【特許文献４】特開平９−８９３４２号公報
【特許文献５】特開２００４−９２９５９号公報
【発明の開示】
【発明が解決しようとする課題】
【０００７】
上述したようなダクト用換気扇では、浴室の水蒸気を吸入した時に発生する結露水をダクト側へ排出する構造となっている（ダクト側に向けて傾斜している）。また、本来、ダクトは結露水が外側へ流れ落ちるように外側に向かって下り勾配に傾斜するように配管される。
【０００８】
ところが、建築物の構造等によってはダクトに対して適当な下り勾配が設けられず、逆勾配になる場合がある。ダクトが本来とは逆の勾配になっていると換気扇内部に溜まった結露水がダクト側に流れず、換気扇内部に溜まっていく。溜まった結露水が許容量（吸込口周縁高さ）を超えると結露水が天井開口部を覆うフロントカバーに漏れ出して、その吸気孔より浴室に落下し、利用者に不快感を与えるため、クレームの原因になっていた。
【０００９】
なお、特許文献１，特許文献２に開示されたものでは、ダクトが屋外排気口側に向かって下り勾配に設けられているのを前提としているため、ダクトが逆勾配になっている場合には対応できない。
【００１０】
また、特許文献３に開示されたものでは、ドレン排水管を浴室の天井下面から側壁に沿わせて配設しなければならず、浴室側壁が汚れたり外観を損ねる。
【００１１】
また、特許文献４に開示されたようなものでは、グリルプレート（フロントカバー）に結露水を溜めることはできるが、側面が開口しているため、本体内部が見えるという問題があった。また、見えないようにするためにはフロントカバーを大きくしなければならない問題があった。
【００１２】
また、特許文献５に開示されたものでは、ファンケーシングの底板と側壁との接合部には、どうしても僅かな隙間が生じるため、結露水が毛細管現象により吸い上げられ、やがて外部に達し、滴下する。これを防ぐためにはパッキン等でシールすることが考えられるが、その分コスト高となる。
【００１３】
そこで、本願発明はこのような課題を解決するためになされたものであり、ダクトが逆勾配になっているような場合でも、結露水が浴室等に落下することがないダクト用換気扇を提供することを目的とするものである。
【課題を解決するための手段】
【００１４】
上記のような目的を達成するために、本願発明は、ファンを囲繞して、ダクトに連通する排気口と、吸気孔を有するフロントカバーで下方が覆われた吸込口を有して、この吸込口から吸い込んだ空気を前記排気口に案内するファンケーシングを備え、前記ファンケーシングの吸込口が形成された底板に、当該底板に溜まった結露水を排水する排水孔を形成すると共に、この排水孔に連結されて結露水を前記フロントカバーの吸気孔形成部外に案内する排水管を備え、前記フロントカバーの吸気孔周縁には立設壁を形成したことを特徴とするものである。
【００１５】
さらに、前記排水孔は、その孔上面が前記底板の底面よりは高い位置で前記吸込口周縁の高さよりは低い位置に形成されて成ることを特徴とするものである。
【００１６】
一方、ファンを囲繞して、ダクトに連通する排気口と、吸気孔を有するフロントカバーで下方が覆われた吸込口を有して、この吸込口から吸い込んだ空気を前記排気口に案内するファンケーシングを備え、前記フロントカバーの吸気孔を表面張力で水を通さない大きさに形成したことを特徴とするものである。
【００１７】
さらに、前記フロントカバーは、吸気孔形成部が吸気孔が形成されていない部分に向かって下り勾配に傾斜させて成ることを特徴とするものである。
【００１８】
一方、ファンを囲繞して、ダクトに連通する排気口と、吸気孔を有するフロントカバーで下方が覆われた吸込口を有して、この吸込口から吸い込んだ空気を前記排気口に案内するファンケーシングを備え、このファンケーシングは、下方を開口する側壁と、前記吸込口が形成されて前記側壁の開口縁に装着される底板とを有し、前記底板の外周に立ち上がり傾斜面を形成すると共に、前記側壁の開口縁に前記底板の立ち上がり傾斜面に沿うように弾性変形して密着する薄肉部を形成したことを特徴とするものである。
【発明の効果】
【００１９】
本願発明によれば、ファンケーシングの吸込口が形成された底板に、当該底板に溜まった結露水を排水する排水孔を形成すると共に、この排水孔に連結されて結露水をフロントカバーの吸気孔形成部外に案内する排水管を備え、フロントカバーの吸気孔周縁には立設壁を形成することにより、ファンケーシングの底板に溜まった結露水は排水孔，排水管を介してフロントカバーの吸気孔形成部外に導かれ、周縁に立設壁が形成された吸気孔からは滴下することなくフロントカバー全面に達し、換気扇運転に伴う風で蒸発が促進されて結露水が溢れることはない。従って、ダクトが逆勾配になっているような場合でも、結露水が浴室等に落下することはなくなる。
【００２０】
さらに、上記排水孔は、その孔上面が底板の底面よりは高い位置で吸込口周縁の高さよりは低い位置に形成されて成るものであるから、結露水が吸込口周縁から溢れないことは勿論、ダクトが本来の下り勾配に設けられている場合には結露水はフロントカバーには排水されずに、本来のダクト側に排水される。
【００２１】
一方、フロントカバーの吸気孔を表面張力で水を通さない大きさに形成することにより、結露水がフロントカバーに滴下して吸気孔に付着しても表面張力で吸気孔を通らず、換気扇運転に伴う風で蒸発する。従って、通常の使用状態では結露水が浴室等に落下することはなくなる。
【００２２】
さらに、上記フロントカバーは、吸気孔形成部が吸気孔が形成されていない部分に向かって下り勾配に傾斜させて成るものであるから、結露水が異常に多くてフロントカバーに溜まるような場合でも、吸気孔形成部に滴下した結露水は吸気孔が形成されていない部分に流れて溜まり、溜まった結露水は換気扇の運転により蒸発し、溢れることはない。従って、結露水が多い場合でも、結露水が浴室等に落下することはなくなる。
【００２３】
一方、底板の外周に立ち上がり傾斜面を形成すると共に、側壁の開口縁に前記底板の立ち上がり傾斜面に沿うように弾性変形して密着する薄肉部を形成することにより、底板と側壁の接合部にパッキン等を使用することなく結露水をシールすることができるため、低コストで結露水落下を防止できる。従って、結露水が浴室等に落下することはなくなる。また、薄肉部にファンによる送風の圧力が加わり、シール性がより向上する。
【発明を実施するための最良の形態】
【００２４】
以下、本願発明の実施形態を図面を参照して詳細に説明する。
【００２５】
図１は、本願発明の一実施形態に係るダクト用換気扇の側断面図、図２はそのフロントカバーを内側から見た図、図３はファンケーシングを下から見た図である。
【００２６】
このダクト用換気扇１は、天井２に形成された開口部３から天井裏４に突出して配設され、下方を開口する箱状に形成された合成樹脂製の本体ケース５と、スリット状の吸気孔６が形成され本体ケース５の開口５ａを着脱自在に覆うフロントカバー７と、排気口８が形成された本体ケース５の側面に着脱自在に設けられたダクト接続板９とで外郭が構成されている。
【００２７】
本体ケース５の開口５ａ端にはフランジ１０が形成されており、ダクト用換気扇１を天井２に取り付ける際に、フランジ１０が天井２の開口部３周縁の部屋（浴室）１１側に当接される。
【００２８】
本体ケース５内に設けられる送風機１２は、モータ１３とこのモータ１３の駆動軸１３ａに取り付けられるファン１４（ここではシロッコファン）とで構成されている。この送風機１２は、駆動軸１３ａを下方に向けた状態でモータ１３を本体ケース５の上部に形成した収納室１５内に挿入し、本体ケース５の最上面に設けられた取付板１６にネジ（図示せず）で取り付けられる。
【００２９】
上記ファン１４を囲繞して本体ケース５内に吸い込まれた空気を排気口８へ案内するファンケーシング１７は、ファン１４の側方を覆う渦巻き状の側壁１８と、この側壁１８の開口縁にネジ１９にて取り付けられる合成樹脂製の底板２０とを有する。側壁１８は本体ケース５の外郭の一部を構成するように本体ケース５に一体に形成され、使用される材料が少なくなるようにしている。
【００３０】
前記底板２０の略中央には吸込口２２が形成され、この吸込口２２周縁が底板２０の底面２０ａより高くなるように立設部２３が形成されている。また、底板２０の外周側には底面２０ａより高くなるように立ち上がり壁２４が形成されている。
【００３１】
底板２０の排気口８側にはパッキン２７が貼着されており、このパッキン２７が排気口８の下部周縁に密接して側壁１８の開口縁に装着される。この際、底板２０の排気口８側は排気口８周縁の下部と略同一高さ又は高くなるように取り付けられ、ファンケーシング１７で結露した結露水が排気口８で堰き止められないようにしている。また、底板２０の下面には、フロントカバー７を取り付けるためのカバー取付部２８が吸込口２２を跨ぐように形成されている。
【００３２】
フロントカバー７の裏面の略中央には係止爪２９が形成され、この係止爪２９にカバー取付部２８に係止される線バネ３０が取り付けられている。
【００３３】
前記ダクト接続板９には、本体ケース５の排気口８を排気ダクト３１に接続するためのダクト接合部３２が形成されており、内部に風圧式のシャッター３３が設けられている。このダクト接合部３２の底面は、排気口８周縁の下部と略同一高さ又は低く形成され、さらに、排気口８から排気ダクト３１側に向かって順次低くなる傾斜面に形成されており、ファンケーシング１７で生じた結露水がダクト接合部３２の排気口８側で堰き止められないようにすると共に、ダクト接合部３２内において排気ダクト３１側へ排水されやすくしている。
【００３４】
しがしながら、図１に示しているように、建築物の構造等，例えば屋外排気口３４の形成位置によっては排気ダクト３１に対して適当な下り勾配が設けられず、逆勾配になる場合がある。排気ダクト３１が本来とは逆の勾配になっていると、図１に示すように換気扇１内部に溜まった結露水Ｗがダクト３１側に流れず、換気扇１内部に溜まっていく。
【００３５】
そこで、本実施形態においては、底板２０の一部に、底板２０に溜まった結露水Ｗを排水する排水孔３５を形成すると共に、この排水孔３５に連結されて結露水Ｗをフロントカバー７の吸気孔形成部外（フロントカバー７周辺部）に案内する排水管３６を備えている。また、フロントカバー７のスリット状吸気孔６の周縁には立設壁６ａを形成している。
【００３６】
上記排水孔３５は、その孔上面３５ａが底板２０の底面２０ａよりは高い位置で吸込口２２周縁の立設部２３の高さよりは低い位置に形成されている。
【００３７】
以上のように構成されたダクト用換気扇１は、モータ１３を駆動してファン１４を回転させると、フロントカバー７の吸気孔６から本体ケース５内に部屋（浴室）１１内の空気が吸い込まれ、この吸い込まれた空気が底板２０の吸込口２２からファンケーシング１７内に流入する。ファンケーシング１７内に流入した空気の大部分はファンケーシング１７に案内されて排気口８に向かい、一部が収納室１５内を通ってモータ１３を冷却して排気口８へ向かう。そして、排気口８からの風圧でシャッター３３が開き、本体ケース５内に吸い込まれた空気はダクト接合部３２内から排気ダクト３１を介して屋外排気口３４から屋外に排気される。
【００３８】
このダクト用換気扇１を浴室等の湿度の高い部屋１１に取り付けた場合には、本体ケース５内に吸い込まれた空気中の水分がファンケーシング１７で結露し、ファンケーシング１７の側壁１８等に付着する。ファンケーシング１７の側壁１８に付着した結露水はファンケーシング１７の側壁１８を伝わって自重により下方に移動し、側壁１８と底板２０の接合部２５を通過して底板２０の底面２０ａに達する。
【００３９】
底板２０の底面２０ａに達した結露水Ｗは、排気口８に向かう空気の流れに誘引される等して排気口８からダクト接合部３２に流入する。そして、結露水Ｗはダクト接合部３２の底面の傾斜により排気ダクト３１に向かって移動する。
【００４０】
しかし、図１に示しているように、排気ダクト３１が本来とは逆の勾配になっていると換気扇１内部に溜まった結露水Ｗがダクト３１側に流れず、換気扇１内部に溜まっていく。
【００４１】
ここで、ファンケーシング１７の底板２０に溜まった結露水Ｗの水位が排気孔３５の孔上面３５ａを達すると、結露水Ｗが排気孔３５から排水管３６を通り、フロントカバー７の周辺部にある吸気孔６が形成されていない部分に流出する。
【００４２】
フロントカバー７のスリット状吸気孔６の周縁には、立設壁６ａが形成されており、結露水Ｗが容易に下に落ちない構造になっている。排水管３６から流れてきた結露水Ｗは、この立設壁６ａ間に溜まり、フロントカバー７全面に達するようになっており、換気扇１運転に伴う風で蒸発が促進され、結露水Ｗが溢れることはない。
【００４３】
従って、排気ダクト３１が逆勾配になっていても、結露水Ｗが浴室等の部屋１１に落下することはなくなる。
【００４４】
一方、排気ダクト３１が本来の下り勾配に設けられている場合には、ファンケーシングの１７の底板２０に溜まった結露水Ｗが排水孔３５の孔上面３５ａまで達することはないので、フロントカバー７側には排水されずに、本来の排気ダクト３１側に排水される。
【００４５】
図４は、本願発明の他の実施形態に係るダクト用換気扇の側断面図、図５はそのフロントカバーを内側から見た図、図６は同じくフロントカバーを外側から見た図であり、前記実施形態と同一符号は同一又は相当部分を示している。
【００４６】
本実施形態では、フロントカバー７の吸気孔６０を表面張力で水を通さない大きさに形成したものである。すなわち、これまでのスリット状の吸気孔６の代わりに、円形で、しかも表面張力で水を通さない程度の小さな吸気孔６０を多数形成したものである。
【００４７】
なお、表面張力で水を通さない程度の小さな吸気孔６０としても、フロントカバー７上に滴下する結露水Ｗの量が異常に多くて、吸気孔６０を完全に覆うように溜まると表面張力が働かなくなって結露水が吸気孔６０を通ってしまう虞がある。そこで、本実施形態のフロントカバー７は、吸気孔６０が形成された中央部７ａが吸気孔６０が形成されていない周辺部７ｂより高くなるように、中央部７ａから周辺部７ｂに向かって下り勾配の傾斜を持たせたものである。これにより、上から落ちてきた結露水Ｗがフロントカバー７の周辺部７ｂに溜まるようになっている。
【００４８】
以上のように構成することにより、結露水Ｗがフロントカバー７に滴下して吸気孔６０に付着しても表面張力で吸気孔６０を通らず、付着した結露水６０は換気扇運転に伴う風で蒸発する。従って、結露水Ｗが浴室等に落下することはなくなる。
【００４９】
また、結露水が多くてフロントカバー７に溜まるような場合でも、吸気孔６０形成部に滴下した結露水Ｗは吸気孔６０が形成されていない周辺部７ｂに流れて溜まり、溜まった結露水Ｗは換気扇１の運転により蒸発し、溢れることはない。従って、結露水Ｗが多い場合でも、結露水Ｗが浴室等に落下することはなくなる。
【００５０】
また、前述した特許文献４のように側面を開口しなくても良いので、本体内部が見えるという問題は生ぜず、見えないようにするためにフロントカバーを大きくすることもないので、結露水落下を防止できる小型のフロントカバー７とすることができる。
【００５１】
図７は、本願発明のさらに他の実施形態に係るダクト用換気扇の側断面図、図８はそのファンケーシングを下から見た図、図９は図８の断面Ａ−Ａ部分の接合部における接合前の状態を示す断面図、図１０は同じく接合後の状態を示す断面図、図１１は図８の断面Ｂ−Ｂ部分の接合部における接合後の作用を示す断面図であり、前記実施形態と同一符号は同一又は相当部分を示している。
【００５２】
本実施形態においては、ファンケーシング１７を構成する側壁１８と底板２０との接合部２５の隙間から毛細管現象により結露水が漏れるのを防ぐため、図９〜図１１に示すように底板２０の外周に立ち上がり傾斜面２０ｂを形成すると共に、側壁１８の開口縁に形成されたリブ１８ａの先端部に、底板２０の立ち上がり傾斜面２０ｂに沿うように弾性変形して密着する薄肉部１８ｂを形成したものである。
【００５３】
ファンケーシング１７は、一般にＰＰ（ポリプロピレン）樹脂で成形されているので、図９〜図１１に示すように、側壁１８の開口縁に形成されたリブ１８ａの先端部に尖った形状の薄肉部１８ｂを形成することにより、容易に弾性変形するようになる。
【００５４】
従って、図９に示す接合前では、側壁１８の開口縁に形成されたリブ１８ａ先端の薄肉部１８ｂは真っ直ぐ下に延びた状態にあるが、図１０のようにネジ止め接合後には、薄肉部１８ｂが底板２０外周の立ち上がり傾斜面２０ｂに沿うように弾性変形して密着する。また、ファン１４より発生した風が図１０の矢印で示すように流れ、薄肉部１８ｂに送風圧が加わるので、シール性がより向上する。
【００５５】
以上のように本実施形態のものでは、底板２０と側壁１８の接合部２５にパッキン等を使用することなく、図１１に示すように側壁１８の内面を流れ落ちてくる結露水Ｗや底板２０の底面２０ａに溜まった結露水Ｗを確実にシールすることができるため、低コストで結露水落下を防止できる。従って、結露水が浴室等に落下することはなくなる。
【００５６】
ところで、従来のダクト用換気扇においては、換気扇の点検や、フロントカバーの格子の内側に溜まったごみを掃除する場合、フロントカバーを換気扇から取り外す必要があった。
【００５７】
図１２は、上述した課題を解消したダクト用換気扇の実施形態を示す側断面図、図１３はその作用を示す要部側断面図、図１４はそのフロントカバーを裏側から見た図、図１５は図１４の断面Ｃ−Ｃの折り曲げ状態を示す断面図である。
【００５８】
本実施形態においては、図１３に示すように、フロントカバー７が中央部７ｃより両側部７ｄ，７ｄそれぞれが下側に折れ曲がる構造になっている。すなわち、本実施形態のフロントカバー７は、図１４にも示すように、線バネ３０に係止される係止爪２９がネジ止め固定される幅狭の中央部７ｃと、吸気孔６が形成された両側部７ｄ，７ｄの３分割構造になっており、それらをステンレス製の板バネ４０，４０を介してネジ止め固定して連結している。
【００５９】
上記中央部７ｃと両側部７ｄ，７ｄとの各連結部７ｅ，７ｅは、図１５に示すようにそれぞれ斜めにカットされて、スムーズに折り曲げることが出来るように構成されている。また、図１２，図１３に示すように、両側部７ｄ，７ｄの外側面には手指を掛けることができる取手部７ｆ，７ｆが形成されている。
【００６０】
従って、図１３に示すように、両側部７ｄ，７ｄのいずれか一方の外側面に形成された取手部７ｆに手指を掛けて引き下げると、図１５に示すように板バネ４０で連結された連結部７ｅを支点に折れ曲がり、フロントカバー７を開けることができ、換気扇１内部の点検やスリット状吸気孔６の格子内部の清掃などを行うことができる。また、それらの終了後、取手部７ｆから手を離すと、板バネ４０の復元力で自動的に元の閉鎖状態に戻る。
【００６１】
以上のように、本実施形態によれば、フロントカバー７を換気扇１から取り外すことなく、換気扇１内部の点検やスリット状吸気孔６の格子内部の清掃などを行うことができる。また、大きな面積のフロントカバー７を箱収納時に折り畳めることから、梱包箱が小さくできて輸送コストを下げることができる。
【００６２】
また、上記のようなに構成されたフロントカバー７を前述してきた実施形態のものに適用することにより、ダクト３４が逆勾配になっているような場合でも、結露水が浴室等に落下することがないダクト用換気扇１に上記のようなフロントカバー７による作用効果を付加することができて、メンテナンス性や使い勝手も向上する。
【図面の簡単な説明】
【００６３】
【図１】本願発明の一実施形態に係るダクト用換気扇の側断面図。
【図２】そのフロントカバーを内側から見た図。
【図３】同じくファンケーシングを下から見た図。
【図４】本願発明の他の実施形態に係るダクト用換気扇の側断面図。
【図５】そのフロントカバーを内側から見た図。
【図６】同じくフロントカバーを外側から見た図。
【図７】本願発明のさらに他の実施形態に係るダクト用換気扇の側断面図。
【図８】そのファンケーシングを下から見た図。
【図９】図８の断面Ａ−Ａ部分の接合部における接合前の状態を示す断面図。
【図１０】同じく接合後の状態を示す断面図。
【図１１】図８の断面Ｂ−Ｂ部分の接合部における接合後の作用を示す断面図。
【図１２】ダクト用換気扇のさらに他の実施形態を示す側断面図。
【図１３】その作用を示す要部側断面図。
【図１４】そのフロントカバーを裏側から見た図。
【図１５】図１４の断面Ｃ−Ｃの折り曲げ状態を示す断面図。
【符号の説明】
【００６４】
１  ダクト用換気扇
２  天井
３  天井開口部
５  本体ケース
５ａ  開口
６，６０  吸気孔
６ａ  立設壁
７  フロントカバー
７ａ  中央部
７ｂ  周辺部
７ｃ  中央部
７ｄ，７ｄ  両側部
７ｅ  連結部
７ｆ  取手部
８  排気口
１２  送風機
１３  モータ
１４  ファン
１７  ファンケーシング
１８  側壁
１８ａ  リブ
１８ｂ  薄肉部
２０  底板
２０ａ  底面
２０ｂ  立ち上がり傾斜面
２２  吸込口
２３  立設部
２５  接合部
３１  排気ダクト
３２  ダクト接合部
３５  排水孔
３５ａ  孔上面
４０  板バネ
【図１】
2007017062.tif 000003
【図２】
2007017062.tif 000004
【図３】
2007017062.tif 000005
【図４】
2007017062.tif 000006
【図５】
2007017062.tif 000007
【図６】
2007017062.tif 000008
【図７】
2007017062.tif 000009
【図８】
2007017062.tif 000010
【図９】
2007017062.tif 000011
【図１０】
2007017062.tif 000012
【図１１】
2007017062.tif 000013
【図１２】
2007017062.tif 000014
【図１３】
2007017062.tif 000015
【図１４】
2007017062.tif 000016
【図１５】
2007017062.tif 000017